(57)【要約】第１図に示された給弾装置Ｂは、弾丸発射手段（１）を構成するシリンダ部（１１）に、ピストン部（１２）の動作に応動してピストン部（１１）と接続及び接続解除可能なノズル手段（２）を設けて、給弾口（３ｂ）を閉塞及び開口されるように構成する。さらに、弾性部材（ノズルスプリング）（２２）の付勢力よりも強い力でもって、かつ、係止部（２１ａ）と被係止部（１２ｇ）との係合力よりも弱い力でもって圧接されるように、継ぎ手部（１２４）でピストンヘッド（１２１）とピストン本体（１２３）とを接続して、限られたスペース内で効率よく、給弾口（３ｂ）の開口時間を延長させる。このようにすることで、給弾装置の耐久性及び給弾の信頼性を高め、さらに、テイクダウン可能な実銃の操作性を再現することができる。また、ユーザー側で給弾装置の交換を容易に行うことができる。
2005061984.tif 000002
【特許請求の範囲】
【請求項１】
ピストン部と該ピストン部とスライド可能に係合されたシリンダ部とを備え、該ピストン部の往復動作によって生成された圧搾空気によって、該ピストン部前方かつ該ピストン往復動方向と略直交方向に配設された給弾口の上に送り込まれた弾丸を発射させる弾丸発射手段と、
前記給弾口を閉塞及び開口されるように所要長さ往復動可能、かつ、該給弾口が開口した状態から閉塞した状態へ自動復帰可能に前記シリンダ部に設けられると共に、前記ピストン部の前進動に応動して該ピストン部と接続可能、かつ、該ピストン部の後進動に応動して該ピストン部と接続解除可能に構成されたノズル手段とを備えてなり、
前記ピストン部の後進動に応動して、該ピストン部と接続された前記ノズル手段を前記所要長さ分引き連れて前記給弾口を開口させると共に前記所要長さのストローク量を境に該ピストン部から該ノズル手段が接続解除されて前記給弾口を自動的に閉塞させるように構成されていることを特徴とするエアガンの給弾装置。
【請求項２】
前記シリンダ部は、筒状のシリンダ本体と、そのシリンダ本体の先部に設けられ所要径の連通孔が中央に設けられた略リング状のシリンダヘッドとを備え、
前記ノズル手段は、前記連通孔に前記所要長さスライド可能に挿嵌されると共に、基部に係止部が設けられ前記給弾口を先部側面で閉塞させる略筒状のノズル本体と、一端が前記シリンダヘッドに係合されると共に他端が前記ノズル本体に係合されて前記ノズル本体を前方へ付勢させる弾性部材とを備え、
前記ピストン部の頂面に、前記ノズル本体の基部が挿入される凹部が設けられていると共に該凹部内に前記係止部と係合及び係合解除可能な被係止部が設けられていることを特徴とする請求の範囲第１項記載のエアガンの給弾装置。
【請求項３】
前記ピストン部は、ピストンヘッドと、ピストン本体と、前記ピストンヘッドと前記ピストン本体とが前記弾性部材の付勢力よりも強い力でもって、かつ、前記係止部と前記被係止部との係合力よりも弱い力でもって圧接されるように付勢して接続させると共に所要長さストローク移動可能に接続させる継ぎ手部とを備えて構成されていることを特徴とする請求の範囲第２項記載のエアガンの給弾装置。
【請求項４】
前記ノズル本体の先部が挿入されると共にその中途部に前記給弾口が設けられた中空軸状のチャンバーを備え、前記チャンバーは、前記シリンダヘッドに固着されて一体化されていることを特徴とする請求の範囲第２項または３項記載のエアガンの給弾装置。
【請求項５】
請求の範囲第１項乃至第４項の何れか１項に記載のエアガンの給弾装置が内装され、銃身側本体とトリガー側本体とを備えたエアガンであって、
前記弾丸発射手段は、前記ピストン部の側面に設けられたラックと、前記ピストン部内に張架され該ピストン部を前進動させるピストンスプリングとを備えてなり、
少なくとも前記弾丸発射手段と前記ノズル手段とが前記銃身側本体に着脱可能に内装されていると共に、前記トリガー側本体に前記ラックと噛合するセクタギアを備えたトリガー機構が内装され、
前記銃身側本体とトリガー側本体とがテイクダウン可能に接続されていることを特徴とするエアガン。
【発明の詳細な説明】
【技術分野】  本発明は、エアガンの給弾装置とその装置を内装させたエアガンに関する。
【背景技術】  従来のエアガンの給弾装置として、例えば、シリンダに設けられたエア噴射口の前方の給弾室に設けられた給弾口と、その給弾口を開閉させるシャッタと、回転ギヤの回転軸から一定半径離れた該ギヤ上に設けられた係止部と、その係止部に係合する係合手段とシャッタとを連係しスライド方向へばねによって付勢されたスライドアームとを有して構成され、スライドアームを介して回転ギヤの回転によってシャッタが開閉するようになったものがある（例えば実公平０７−０２２６３４号公報参照）。
ところで、このエアガンは、商品性を高めるために実銃を模した外観形状のものが多いが、換言すれば、その外観形状を損なわない程度の限られたエリア内に、上記した給弾装置を含めた各機構部が効率よく納められていることになる。
この上記したエアガンの給弾装置を、限られたエリア内に収納させるとなると、上記した特許文献で図示されているように、スライドアームの板厚を薄くする必要がある。
しかも、このエアガンの給弾装置は、言わば、スライダ・クランク機構であるために、曲げ応力を含んだ複合した応力がこのスライドアームに付与されている。
したがって、前記した板厚の薄さと相まって、疲労による破損（あるいは変形）が生じやすくなっている。
また、エアガンは、弾丸を高速に連射するモード（高速連射モード）が搭載されているものが多いが、例えば、その弾丸（ＢＢ弾）を収納しているマガジンは、圧縮バネの付勢によって漸次弾丸を送り出す構成になっている。したがって、マガジン内に弾丸が十分に有る場合と、残り少ない場合とでは、弾丸を送り出す力が異なっており、特に、この上記した高速連射モードの際に、弾丸の残りが少ないと、弾丸の送り出しが間に合わずに給弾ミスが生じる場合が多い。
さらに、エアガンには、いわゆる玩具としてのエアガンから、近接戦闘訓練（Ｃ・Ｑ・Ｂトレーニング）等の有事訓練に用いられるエアガンまで様々である。とりわけ、後者の有事訓練用に用いられるエアガンは、訓練時における緊張性を高めたり、銃の取り扱い（メンテナンスを含む）に慣れるために、外観形状はもとより、重量やその操作性等、実銃を完全に模した方が好適である。
例えば、テイクダウン可能な実銃（の操作性）を再現する場合、上記した先行の給弾装置を用いて再現しようとしても、減速機構を構成する歯車にスライドアームの基部を係合する構成になっているため、極めて困難であり非現実的である。もっとも、この先行の給弾装置は、テイクダウン可能なエアガンを想定しているものではないものと思料できるが、換言すれば、エアガンとしてのメンテナンス（部品交換を含む）がユーザー側で行うことができない。
そこで、本発明は、給弾装置の耐久性及び給弾の信頼性を高め、さらに、テイクダウン可能な実銃の操作性を再現することができ、ユーザー側で給弾装置のメンテナンス（部品交換を含む）を容易に行うことができるエアガンの給弾装置とその装置を内装させたエアガンを提供することを目的とする。
【発明の開示】
上記課題を達成するために、本発明にかかるエアガンの給弾装置と、その装置を内装させたエアガンは、以下の技術的手段を講じた。
すなわち、請求の範囲第１項記載のエアガンの給弾装置は、ピストン部と該ピストン部とスライド可能に係合されたシリンダ部とを備え、該ピストン部の往復動作によって生成された圧搾空気によって、該ピストン部前方かつ該ピストン往復動方向と略直交方向に配設された給弾口の上に送り込まれた弾丸を発射させる弾丸発射手段と、前記給弾口を閉塞及び開口されるように所要長さ往復動可能、かつ、該給弾口が開口した状態から閉塞した状態へ自動復帰可能に前記シリンダ部に設けられると共に、前記ピストン部の前進動に応動して該ピストン部と接続可能、かつ、該ピストン部の後進動に応動して該ピストン部と接続解除可能に構成されたノズル手段とを備えてなり、前記ピストン部の後進動に応動して、該ピストン部と接続された前記ノズル手段を前記所要長さ分引き連れて前記給弾口を開口させると共に前記所要長さのストローク量を境に該ピストン部から該ノズル手段が接続解除されて前記給弾口を自動的に閉塞させるように構成されていることを特徴とする。
請求の範囲第２項記載のエアガンの給弾装置は、請求の範囲第１項において、前記シリンダ部は、筒状のシリンダ本体と、そのシリンダ本体の先部に設けられ所要径の連通孔が中央に設けられた略リング状のシリンダヘッドとを備え、前記ノズル手段は、前記連通孔に前記所要長さスライド可能に挿嵌されると共に、基部に係止部が設けられ前記給弾口を先部側面で閉塞させる略筒状のノズル本体と、一端が前記シリンダヘッドに係合されると共に他端が前記ノズル本体に係合されて前記ノズル本体を前方へ付勢させる弾性部材とを備え、前記ピストン部の頂面に、前記ノズル本体の基部が挿入される凹部が設けられていると共に該凹部内に前記係止部と係合及び係合解除可能な被係止部が設けられていることを特徴とする。
請求の範囲第３項記載のエアガンの給弾装置は、請求の範囲第２項記載において、前記ピストン部は、ピストンヘッドと、ピストン本体と、前記ピストンヘッドと前記ピストン本体とが前記弾性部材の付勢力よりも強い力でもって、かつ、前記係止部と前記被係止部との係合力よりも弱い力でもって圧接されるように付勢して接続させると共に所要長さストローク移動可能に接続させる継ぎ手部とを備えて構成されていることを特徴とする。
請求の範囲第４項記載のエアガンの給弾装置は、請求の範囲第２項または第３項記載において、前記ノズル本体の先部が挿入されると共にその中途部に前記給弾口が設けられた中空軸状のチャンバーを備え、前記チャンバーは、前記シリンダヘッドに固着されて一体化されていることを特徴とする。
請求の範囲第５項記載のエアガンは、請求の範囲第１項乃至第４項の何れか１項に記載のエアガンの給弾装置が内装され、銃身側本体とトリガー側本体とを備えたエアガンであって、前記弾丸発射手段は、前記ピストン部の側面に設けられたラックと、前記ピストン部内に張架され該ピストン部を前進動させるピストンスプリングとを備えてなり、少なくとも前記弾丸発射手段と前記ノズル手段とが前記銃身側本体に着脱可能に内装されていると共に、前記トリガー側本体に前記ラックと噛合するセクタギアを備えたトリガー機構が内装され、前記銃身側本体とトリガー側本体とがテイクダウン可能に接続されていることを特徴とする。
【図面の簡単な説明】  第１図は、本実施の形態にかかる給弾装置を用いたエアガンの一部切欠した正面図とその拡大図である。
第２図は、本実施の形態にかかる給弾装置の一連の動作を示す説明図である。
第３図は、本実施の形態にかかる給弾装置を用いたエアガンをテイクダウンさせた状態を示す説明図である。
【発明を実施するための最良の形態】  本発明をより詳細に説明するために、添付図面を参照してこれを説明する。なお、図中、符号Ａはエアガンを、符号Ｂはエアガンの給弾装置を、符号Ｃは銃身側本体を、符号Ｄはトリガー側本体を、夫々示す。
本実施の形態にかかるエアガンの給弾装置Ｂは、第１図に示すように、弾丸発射手段１と、ノズル手段２と、チャンバー３とを備えてなる。
弾丸発射手段１は、シリンダ部１１と、ピストン部１２と、を備えて構成される。
シリンダ部１１は、シリンダ本体１０１と、シリンダヘッド１０２とを備えて構成される
シリンダ本体１０１は、軸長手方向に向かって長孔１１ａが中途部に設けられた略筒状を呈し、一端が開放されていると共に他端が閉塞されてなる。
シリンダヘッド１０２は、所要径の連通孔１１ｂが設けられその連通孔１１ｂ内中途部に後述するノズル本体２１を案内支持可能にかつ気密性を確保させるＯリング１０５が環装された略リング状を呈し、気密性を確保させるためのＯリング１０３が介在されてシリンダ本体１０１の開放端側に嵌着されている。また、このシリンダヘッド１０２は、そのシリンダ本体１０１内側の側面に環状のシール部材１０４が埋設され、対向する他方の側面には後述するチャンバー３を嵌着させる段部１１ｃが連通孔１１ｂと連続するように形成されている。
ピストン部１２は、ピストンヘッド１２１と、ピストンリング１２２と、ピストン本体１２３と、継ぎ手部１２４と、ピストンスプリング１２５とを備えてなり、シリンダ部１１内に配設されている。
ピストンヘッド１２１は、前方側が垂直状に形成され後方側が凹湾曲面状に形成されたピストン溝１２ａが外周面に周設されると共に頂面中央部に嵌合凹部１２ｂが凹設されてなる。また、頂面には、シリンダヘッド１０２に埋設されたシール部材１０４と密着させて気密させる第２シール部材１２６が埋設され、さらに、この第２シール部材１２６とピストン溝１２ａを形成する前方側の垂直面とを連通する吸気孔１２ｃがピストン溝１２ａ基部側に開口されるように複数個周設されている。
また、上記した嵌合凹部１２ｂは、その入り口径より拡径した段部１２ｄが入り口内に形成されると共に内側に向かって漸次拡径するテーパー面１２ｅが該段部１２ｄと連続形成され、さらに入り口径より拡径された底面内に所要径の凹部１２ｆが形成されてなる。また上記した段部１２ｄには、Ｏリング１２７が環装され、このＯリング１２７と嵌合凹部１２ｂとで被係止部１２ｇが構成される。
ピストンリング１２２は、ピストン溝１２ａに環装された弾性変形可能な部材であり、シリンダ本体１０１内壁を押圧しながら摺接するようになっている。
ピストン本体１２３は、一端（図面左側）に底部が形成されると共に他端（図面右側）が開口された筒状に形成されると共に、開口側端部から軸長手方向に向かって所要数の歯数を有したラック１２ｈが筒側面に固着されてなり、このラック１２ｈがシリンダ本体１０１に設けられた長孔１１ａと重合するように配設されている。なお、シリンダ本体１０１とピストン本体１２３には、係合関係のスライド溝と凸部（図示せず）が設けられており、ピストン本体１２３が回転しないように規制されている。
継ぎ手部１２４は、スライドピン１２８と、ピストンヘッドスプリング１２９とを備えてなる。
スライドピン１２８は、ピストン本体１２３の底部中央に所要長さスライド可能に挿通され先部がピストンヘッド１２１の背面中央部に螺着され頭部がフランジ状に張り出し形成されている。
ピストンヘッドスプリング１２９は、後述する係止部２１ａと被係止部１２ｇとの係合力よりも弱い力で、かつ、後述するノズルスプリング２２よりも硬い（バネ定数が大きい）圧縮バネであり、スライドピン１２８頭部の段差面に一端が掛止され他端がピストン本体１２３の底部に掛止されて、ピストン本体１２３にピストンヘッド１２１を密着させるように張架されている。
ピストンスプリング１２５は、ピストン本体１２３の底部とシリンダ本体１０１の閉塞した底面との間に張架された圧縮バネであり、ピストン本体１２３を前進動させるように付勢されている。
ノズル手段２は、ノズル本体２１と、ノズルスプリング２２（弾性部材）とを備えてなる。
ノズル本体２１は、ピストンヘッド１２１の嵌合凹部１２ｂ内に形成された凹部１２ｆに案内支持可能な最大径からなる断面半球面状の係止部２１ａが基部に形成されると共に中途部に所要間隔をおいて一対のフランジ部２１ｂが並設された筒体であり、係止部２１ａが被係止部１２ｇに嵌合解除可能に嵌合されていると共に、一対のフランジ部２１ｂ内にシリンダヘッド１０２の連通孔１１ｂが位置するように配設されている。この係止部２１ａと被係止部１２ｇとの係合力は、上記したピストンヘッドスプリング１２９や後述するノズルスプリング２２よりも大きくなっている。
ノズルスプリング２２は、ピストンヘッドスプリング１２９のバネ定数よりも小さく（ピストンヘッドスプリング１２９よりも柔らかい）圧縮スプリングであり、シリンダヘッド１０２の連通孔１１ｂ側面と前方のフランジ部２１ｂとの間に張架されて、ノズル本体２１先部を後進動可能に突出付勢させている。
チャンバー３は、連通孔が設けられた中空軸状を呈しその連通孔の中途部にノズル本体２１先部を案内支持可能な所要径に縮径された縮径部３ａが設けられてなり、シリンダヘッド１０２に形成された段部１１ｃにチャンバー３基部が嵌着されている。この縮径部３ａには弾丸Ｅが供給される給弾口３ｂが設けられており、上記したノズル本体２１の先部側面がその給弾口３ｂを被装するように閉塞させている。
以上のように、一体化されたエアガンの給弾装置Ｂは、例えば、第１図及び第３図に示したように、銃身側本体Ｃとトリガー側本体Ｄとを備えヒンジ部を介してテイクダウン可能に構成されたエアガンＡに内装される。
すなわち、本実施の形態にかかるエアガンの給弾装置Ｂは、上記した銃身側本体Ｃを構成するフレーム内の銃身線上に設けられた孔状の給弾装置装填部ｃ１に、下方にラック１２ｈが向くように着脱可能に挿嵌される。
一方、トリガー側本体Ｄには、電源部（図示せず）と、電動モータ（図示せず）と、セクタギアｄ１を備えた減速機構と、制御部（図示せず）と、トリガーｄ２とを備えたトリガー手段が内装され、トリガーｄ２を引くことによって電源部から供給された電力によって電動モータが回転し、その電動モータと連係した減速機構が作動して、トリガー側本体Ｄを構成するフレームから突出したセクタギアｄ１が回転するようになっている。また、このトリガー側本体Ｄには、圧縮バネの付勢によって漸次弾丸Ｅを送り出し可能なマガジンＦが着脱可能に取り付けられている。
このように構成されたエアガンＡは、トリガー側本体Ｄと銃身側本体Ｃとが、セクタギアｄ１とラック１２ｈが噛合されるようにヒンジ部ａ１を介してテイクダウン可能に接続されている。なお、このエアガンＡには、ヒンジ部ａ１と対向した位置にロック部ａ２が設けられ、このロック部ａ２を解除することでテイクダウン可能になっている。
次に、第１図及び第２図を参照しながら、以上のように構成されたエアガンの給弾装置Ｂの動作説明を説明する。
まず、トリガーｄ２を引いてセクタギアｄ１を回転させると、このセクタギアｄ１と噛合したラック１２ｈを介してピストン本体１２３とピストンヘッド１２１とが密着した状態のまま後退し始める。これと応動するように、ピストンヘッドスプリング１２９のバネ定数よりも小さいノズルスプリング２２が介在されたノズル本体２１が、このピストン本体１２３とピストンヘッド１２１とに応動して後退し始める。
このピストンヘッド１２１が後退することで、ピストン溝１２ａに環装されたピストンリング１２２が、そのピストン溝１２ａを形成する前方側の垂直面とシリンダ本体１０１内壁を圧接すると共に略楕円状に変形して、後方側の凹湾曲面状の形成面と、ピストンリング１２２との間に間隙が形成される。
そして、ピストンヘッド１２１に設けられた第２シール部材１２６とピストン溝１２ａを形成する前方側の垂直面とを連通した吸気孔１２ｃを介して、シリンダヘッド１０２とピストンヘッド１２１との間に形成された空気室内に、上記した間隙と吸気孔１２ｃを介してピストン本体１２３後方の空気が流通する。なお、ピストンヘッド１２１が前進する際は、このピストン溝１２ａに環装されたピストンリング１２２が後方側の凹湾曲面状の形成面とシリンダ本体１０１内壁を圧接して空気の流通を阻止する。
次いで、このノズル本体２１の後退によって、給弾口３ｂを被装するように閉塞していたノズル先端が後退して給弾口３ｂが露出し、これと同時にマガジンＦから上方へ連なるように付勢されていた１個の弾丸Ｅがチャンバー３内に供給される（第３図（１）参照）。
このチャンバー３内に弾丸Ｅが供給されても、ノズル本体２１の前方のフランジ部２１ｂがシリンダヘッド１０２に当接するまで、セクタギアｄ１と噛合したラック１２ｈを介してピストン本体１２３が後退をし続ける。
やがて、フランジ部２１ｂがシリンダヘッド１０２に当接すると、今度はピストンヘッドスプリング１２９が圧縮を開始し、撓みきるまで圧縮する。このピストンヘッドスプリング１２９が撓みきるまでに要する時間分、ノズル先端が後退を維持して給弾口３ｂの露出させており、マガジンＦから弾丸Ｅを送り出す力が弱くなっても確実に給弾されるようになっている（第３図（２）参照）。
ピストンヘッドスプリング１２９が撓みきるまで圧縮したら、ノズル本体２１の基部に形成された係止部２１ａが、段部１２ｄに環装されたＯリング１２７を乗り越えることで、係止部２１ａと被掛止部１２ｇとの嵌合が外れる。そして、ノズル本体２１は、ノズル本体２１に設けられた後方のフランジ部２１ｂがシリンダヘッド１０２に当接するまでノズルスプリング２２の弾発力によって自動的に前進し、ノズル先端が給弾口３ｂを閉塞する。
またこれと同時に、ピストンヘッドスプリング１２９の弾発力によってピストンヘッド１２１がピストン本体１２３に密着すると共に、ピストン本体１２３は、セクタギアｄ１と噛合したラック１２ｈを介して後進端まで後退する。
次いで、セクタギアｄ１の無歯部がラック１２ｈの歯面に位置して噛合状態が解除すると、圧縮されたピストンスプリング１２５の弾発力によって勢い良くピストン部１２が前進して圧搾空気を生成する。この生成された圧搾空気は、ノズル本体２１を介してチャンバー３内に噴出し、給弾された弾丸Ｅは、銃身を通過して外界に向かって発射される（第３図（３）参照）。
また、このピストン部１２の前進中において、段部１２ｄに環装されたＯリング１２７が、ピストン部１２の前方で突出しているノズル本体２１の係止部２１ａによって、段部１２ｄと連続形成されたテーパー面１２ｅに沿って後方に押し退けられ乗り越えることで嵌合し、ピストンヘッド１２１の底面内に形成された凹部１２ｆに係止部２１ａが案内支持されて初期状態に復帰する。
なお、連射モードの場合、この上記した一連の動作がトリガーｄ２を引いている間繰り返される。
以上のように、本実施の形態にかかるエアガンの給弾装置Ｂは、給弾に係る機構動作がピストンと同じ往復動のみで給弾口３ｂを閉塞及び開口するから動作ロスが極めて少ない。したがって、駆動電源の省電力化を図ることができる。また、機構部の耐久性が向上し、しかも、限られたスペース内で効率よく給弾口３ｂを開口させる時間を多くして、給弾の信頼性を向上しつつ、実銃に模した外観形状のエアガンＡにおいても容易に内装させることができるようになっている。
そして、給弾装置Ｂの部品交換等を含むメンテナンスやテイクダウン訓練をおこなう場合は、上記したロック部ａ２を解除する。特に給弾装置Ｂの部品交換を行う場合は、給弾装置装填部ｃ１から引き抜くことで容易に交換ができるようになっている。
以上、本実施の形態にかかるエアガンの給弾装置およびエアガンを説明したが、上述した実施の形態は、本発明の好適な実施形態の一例を示すものであり、本発明はそれに限定されるものではない。本発明は、その要旨を逸脱しない範囲内において、種々変形実施が可能である。
【産業上の利用可能性】  請求の範囲第１項および第２項記載のエアガンの給弾装置によれば、弾丸発射手段を構成するシリンダ部に、ピストン部の動作に応動してピストン部と接続及び接続解除可能なノズル手段を、力学上のベクトルが発射手段と同じ方向となるように設け、給弾口を閉塞及び開口されるように構成したから、給弾に関する動作ロスが極めて少ない。したがって、機構部の耐久性が向上すると共に、駆動電源の省電力化を図ることができる。
請求の範囲第３項記載のエアガンの給弾装置によれば、ピストンヘッドとピストン本体とを継ぎ手部でもって、弾性部材の付勢力よりも強い力でもって、かつ、係止部と被係止部との係合力よりも弱い力でもって圧接されるように付勢して接続させると共に所要長さストローク移動可能に接続させて、ピストン部に応動して所要長さ分引き連れられて位置したノズル本体の後進位置から、ピストンヘッドとピストン本体とが所要長さストローク移動を開始するから、限られたスペース内で効率よく、給弾口の開口時間を延長することができる。したがって、マガジン内に装填された弾丸の数にかかわらず、給弾ミスが生じることなく常に安定した給弾を行いつつ、所望した外観形状のエアガン内に内装することができる。
請求の範囲第４項記載のエアガンの給弾装置によれば、給弾口が設けられた中空軸状のチャンバーをも一体化して完全にアッセンブル化したことで、エアガンへの組み込み作業性を向上させることができると共に、組み込まれたエアガンに対し部品交換をするだけで修理を完了することができる。
請求の範囲第５項記載のエアガンによれば、給弾装置が内装された銃身側本体と、トリガー側本体とがテイクダウン可能に接続されていることで、テイクダウン可能な実銃の操作性を再現することができ、しかも、ユーザー側で給弾装置のメンテナンス（部品交換を含む）を容易に行うことができる。
【符号の説明】
Ａ  エアガン
ａ１  ヒンジ部
ａ２  ロック部
Ｂ  エアガンの給弾装置
Ｃ  銃身側本体
Ｄ  トリガー側本体
ｄ１  セクタギア
ｄ２  トリガー
Ｆ  マガジン
Ｅ  弾丸
１  弾丸発射手段
１１  シリンダ部
１０１  シリンダ本体
１０２  シリンダヘッド
１１ｂ  連通孔
１２  ピストン部
１２１  ピストンヘッド
１２ｇ  被係止部
１２３  ピストン本体
１２４  継ぎ手部
１２  ｈラック
１２８  スライドピン
１２９  ピストンヘッドスプリング
２  ノズル手段
２１  ノズル本体
２１ａ  係止部
２２  ノズルスプリング
３  チャンバー
３ｂ  給弾口
【図１】
2005061984.tif 000003
【図２】
2005061984.tif 000004
【図３】
2005061984.tif 000005
【国際調査報告】
2005061984.tif 000006
2005061984.tif 000007
2005061984.tif 000008